【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
ビデオ・トリック・モードでのビデオ・プレゼンテーションの再生の間、音声番組を再生する方法であって、
映像フレームとそれに対応する音声フレームとから成る、符号化されたディジタル・データを読み出すステップ（２００）と、
前記音声フレームの選択されたブロックを周期的に削除するステップ（２１６）と、
音声再生用の信号を形成するために前記削除するステップ（２１６）後に残存する少なくとも幾つかのブロックの間に消音期間を挿入するステップ（２２０）と、から成る、前記方法。
【請求項２】
約１倍〜１．５倍の音声再生速度を維持するために、前記削除するステップ（２１６）と前記挿入するステップ（２２０）とを制御するステップを更に含む、請求項１記載の方法。
【請求項３】
ビデオ・トリック・モード再生速度に対し約１倍の音声再生速度を得るために、前記削除するステップ（２１６）と前記挿入するステップ（２２０）とを制御するステップを更に含む、請求項１記載の方法。
【請求項４】
前記挿入するステップ（２２０）が、音声再生のために前記残存するブロックの一部を消音すること、および消音を表すように符号化された複数の音声フレームを挿入することの少なくとも１つにより前記消音期間を選択するステップを含む、請求項１記載の方法。
【請求項５】
前記挿入するステップ（２２０）が、前記消音期間の間、音声再生のために消音に対応する音声再生信号を発生するステップを更に含む、請求項１記載の方法。
【請求項６】
前記挿入するステップ（２２０）が、前記ビデオ・トリック・モードの選択された速度による音声再生のために前記残存するブロックを選択するステップ（２２２）を含む、請求項１記載の方法。
【請求項７】
前記挿入するステップ（２２０）が、所定の長さの前記消音期間を選択するステップを含む、請求項１記載の方法。
【請求項８】
前記挿入するステップ（２２０）で選択された前記消音期間が、少なくとも１００ミリ秒の長さを有する、請求項７記載の方法。
【請求項９】
前記読み出すステップ（２００）の前記記憶媒体（１０２）が、ＤＶＤ、磁気光学ディスク、磁気ハードディスク、ビデオＣＤおよび半導体メモリ・デバイスから成る群から選択される、請求項１記載の方法。
【請求項１０】
前記読み出すステップ（２００）の前記符号化ディジタル・データが、ＭＰＥＧ形式を有し、前記読み出すステップが更に、音声サンプルを得るためにＭＰＥＧ形式のビット・ストリームを復号化するステップを含む、請求項１記載の方法。
【請求項１１】
映像番組のビデオ・トリック・モードでの再生に伴う音声内容を再生する装置であって、
映像フレームとそれに対応する音声データを表す符号化ディジタル・データを記憶媒体（１０２）から読み出す記憶媒体読取り装置（１０８）と、
周期的に削除される前記対応する音声データのブロックを選択すると共に、音声再生のために残存する前記ブロックの少なくとも一部を選択し、音声再生用の前記残存するブロック間に消音期間を制御可能に挿入する制御プロセッサ（１２２）と、から成る、前記音声内容再生装置。
【請求項１２】
前記制御プロセッサ（１２２）が、前記ビデオ・トリック・モードの再生速度によらず、約１倍〜１．５倍の速度で音声再生用に残存する前記ブロックの一部を選択する、請求項１１記載の装置。
【請求項１３】
前記制御プロセッサ（１２２）により挿入された前記消音期間が、音声再生用の前記残存するブロックの少なくとも一部を消音すること、および消音を表す音声データを挿入することの少なくとも１つにより形成される、請求項１１記載の装置。
【請求項１４】
音声デコーダ（１８２）と音声ディジタル／アナログ変換器（１８４）とを更に含み、前記消音期間と音声再生用の前記残存するブロックに対応する音声再生信号を発生する、請求項１１記載の装置。
【請求項１５】
前記制御プロセッサ（１２２）が、前記ビデオ・トリック・モードの選択された速度に従って前記対応する音声データの前記周期的削除を制御する、請求項１１記載の装置。
【請求項１６】
消音を表す音声データの入っている場所を含む記憶媒体（１０２）を含む、請求項１５記載の装置であって、前記制御プロセッサ（１２２）は、音声再生用の前記残存するブロックと組み合わせるために所定の期間の間、消音を表す音声データの入っている前記記憶媒体の場所の読出しを制御する、前記請求項１５記載の装置。
【請求項１７】
前記消音期間が、１００〜３００ミリ秒の長さを有する請求項１１記載の装置。
【請求項１８】
前記記憶媒体（１０２）が、ＤＶＤ、磁気光学ディスク、磁気ハードディスク、ビデオＣＤおよび半導体メモリ・デバイスから成る群から選択される、請求項１１記載の装置。
【請求項１９】
前記符号化ディジタル・データが、ＭＰＥＧ形式であり、前記記憶媒体読取り装置（１０８）が、ＭＰＥＧ形式のビット・ストリーム用のデコーダを備える、請求項１１記載の装置。
【請求項２０】
ビデオ・トリック・モードでのビデオ・プレゼンテーションの再生の間、音声番組を再生する方法であって、
映像フレームおよびそれと対応する音声データから成る、符号化ディジタル・データを記憶媒体（１０２）から読み出すステップと、
前記音声データの選択されたブロックを周期的に削除するステップ（２１６）と、
音声再生用の残存するブロックの少なくとも一部を選択するステップ（２１８）と、
音声再生のために前記残存するブロック間に消音を表す音声データを挿入するステップと、から成る、前記方法。
【手続補正２】
【補正対象書類名】明細書
【補正対象項目名】発明の名称
【補正方法】変更
【補正の内容】
【発明の名称】ビデオ・トリック・モード再生中における音声番組の再生方法および装置
【手続補正３】
【補正対象書類名】明細書
【補正対象項目名】０００１
【補正方法】変更
【補正の内容】
【０００１】
本発明は、改良されたトリック・モード再生（ｐｌａｙｂａｃｋ：プレイバック）に関し、特に、通常モード以外で再生されるビデオ・セグメントに関連する音声番組（音声プログラム）のトリック・モード再生における改良に関する。
【手続補正４】
【補正対象書類名】明細書
【補正対象項目名】０００３
【補正方法】変更
【補正の内容】
【０００３】
ビデオ・トリック・モードに関する１つの問題は、再生映像セグメントに対応する音声の処理に関する。例えば、表示される映像セグメントを、加速または減速して再生するとき、それに対応して再生される音声セグメントに歪みを生じることがある。一般に、トリック・モードでの再生中、音声セグメントにおける音声サンプルは、比較的高い周波数に移行され、低速トリック・モードの間、比較的低い周波数に移行される。通常の再生速度と比較して、約１．５倍〜３倍の高速トリック・モードでは、人間の会話を比較的高いピッチ（音程）で聞こえる傾向がある。この比較的高いピッチで再生される音声（チップマンク効果）は煩わしく、多くの場合、視聴者には理解できない。逆に、遅い周波数でのトリック・モード再生は、低周波の震え（ｗｏｂｂｌｅ）を生じ、理解はできるが、聞き苦しい。
【手続補正５】
【補正対象書類名】明細書
【補正対象項目名】０００４
【補正方法】変更
【補正の内容】
【０００４】
ビデオ・トリック・モードの間に、極めて有効な音声再生を得るために、トリック・モードの性質を考察することも必要である。例えば、１．５Ｘ（倍）または２Ｘ（倍）のトリック・モードの場合、明瞭な音声を生じる種々の技術を利用することは可能であるが、このような技術は、トリック・モードが５Ｘ（倍）または１０Ｘ（倍）での再生となると、不満足な結果を与える。このような高速再生モードで、映像と同期して音声のサウンドトラックを再生しようとすると、非常に高速で言葉を言い表す必要があるので、会話が分からなくなる。ＤＶＤトリック・モードに起因する、種々のタイプの音声のアーティファクトが聞きとれないようにするために、従来のＤＶＤプレーヤはしばしば、ビデオ・トリック・モードの間、音声を消去する（消音する）。しかしながら、これは完全に満足のゆく解決法ではない。このようなモードでは、音声に興味が持たれる場合があるからである。従って、従来技術による限界を解決すると共に、ビデオ・トリック・モードの間、ＤＶＤプレーヤが音声を望ましく且つ聞き心地よく再生できるならば、有利である。
【手続補正６】
【補正対象書類名】明細書
【補正対象項目名】０００５
【補正方法】変更
【補正の内容】
【０００５】
（発明の概要）
本発明は、高速前進（ｆａｓｔ  ｆｏｒｗａｒｄ：ファスト・フォワード、早送り）ビデオ・トリック・モードでのビデオ・プレゼンテーションの再生の間、音声番組を再生する方法と装置に関する。この方法では、ビデオ・プレゼンテーション用の符号化ディジタル・データ（映像フレームとそれに対応する音声フレームとから成る）を記憶媒体から読み出し、音声フレームの選択されたブロックを周期的に削除し、そして音声再生のために残存するブロックの少なくとも一部を選択する。音声再生用の残存するブロック間を区切るために、連続するブロック間に消音期間が挿入される。このシステムでは、消音期間と音声再生用の残存するブロックに対応する音声再生信号を発生する。理解度を高めるために、ビデオ・トリック・モードの再生速度に関係なく、音声再生用の残存するブロックの再生は、約１Ｘ（倍）〜１．５Ｘ（倍）の速度で実行することが有利である。消音期間は、音声再生用の選択された連続するブロック間を視聴者が区別可能な充分な長さに選択され、例えば、約１００〜５００ミリ秒が好適である。消音期間が、これより短いと、連続する音声ブロック間の分離個所を感知することが困難となる。消音期間が、これより長いと、過度に長い無音時間（ｄｅａｄ−ａｉｒ  ｔｉｍｅ：デッド・エアタイム、沈黙時間）を生じ、このとき視聴者は音声情報を全く受け取っていない。消音期間を挿入するには、音声再生用の残存するブロック（セット）の一部を消音（ｍｕｔｅ：ミュート）するか、または消音を発生するようにそれぞれ符号化された複数の音声フレームを挿入する。音声フレームの選択されたブロックの周期的削除、音声再生用の残存するブロックの選択、および消音期間の挿入は、ビデオ・トリック・モードの選択された速度に対応する速度で実行される。しかしながら、音声再生用の残存するブロックを再生する時間は、その残存するブロックが本来関連していたビデオ・プレゼンテーションの対応する部分の再生を超えて延長することができる。
【手続補正７】
【補正対象書類名】明細書
【補正対象項目名】００１０
【補正方法】変更
【補正の内容】
【００１０】
制御部１２０には、中央制御処理ユニット（ＣＰＵ）１２２が含まれる。サーボ１１０も、制御部１２０の一部と考えられる。ＣＰＵ１２２で実行される従来の動作のために適当なソフトウェアまたはファームウェアをメモリ内に備えることができる。本明細書中で説明される、有利な特徴（ａｄｖａｎｃｅｄ  ｆｅａｔｕｒｅｓ）のためのプログラム・ルーチンをＣＰＵ１２２のために備えることができる。
【手続補正８】
【補正対象書類名】明細書
【補正対象項目名】００１１
【補正方法】変更
【補正の内容】
【００１１】
視聴者が起動できる諸機能のための制御バッファ１３２は、現在使用できるそれらの機能（即ち、再生（ｐｌａｙ：プレイ）、逆進（ｒｅｖｅｒｓｅ：巻き戻し）、高速前進（ｆａｓｔ  ｆｏｒｗａｒｅｄ：高速再生）、低速再生（ｓｌｏｗ  ｐｌａｙ：スロー再生）、休止（ｐａｕｓｅ：ポーズ）／再生および停止（ｓｔｏｐ：ストップ））を表示するように構成される。休止（一時停止）機能は、大抵のＶＣＲ（ビデオカセット・レコーダ）に見られる休止機能に似ている。この休止機能は、宣伝・広告や予告編（ｔｒａｉｌｅｒ）などのような望まれないセグメント（ｓｅｇｍｅｎｔ：部分）を再生から除去するために、予め録画されたプレゼンテーションの再生を手動で中断できる性能を有する。有利な特徴（バッファ）１３６は、他の有利な再生機能（本明細書中で説明するトリック・モードの制御を含む）を実施するために備えられる。再生トリック・モードには、標準的な１倍（１Ｘ）の再生速度以外の速度での前進および逆進（巻き戻し）が含まれる。出力処理部１７０は、誤り訂正ブロック１３０およびトラック・バッファまたは出力バッファ１７２を備え、ディスクから読み出されたデータはバッファに記憶され、パケットに組み立てられ、更に処理される。これらのパケットは、条件付きアクセス（限定受信）回路１７４で処理され、回路１７４は、デマルチプレクサ１７６を介して、映像／音声処理用のそれぞれの経路の中へ伝送するパケットを制御する。映像は、デコーダ１７８で、例えば、ＭＰＥＧ−１形式またはＭＰＥＧ−２形式から復号化され、標準化テレビジョン（ＴＶ）信号形式（ＡＴＳＣ、ＮＴＳＣ、ＳＥＣＡＭ、またはＰＡＬなど）で符号化される。音声は、例えば、ＭＰＥＧ−１形式またはＭＰＥＧ−２形式から、デコーダ１８２で復号化され、ディジタル・アナログ（Ｄ／Ａ）変換器１８４でアナログ形式に変換され、音声Ｄ／Ａ１８４は、音声デコーダ１８２から受信されたディジタル音声を処理して、アナログ出力信号を発生する。
【手続補正９】
【補正対象書類名】明細書
【補正対象項目名】００１２
【補正方法】変更
【補正の内容】
【００１２】
音声デコーダ１８２は、復号化する前に音声フレームを一時的に記憶するフレーム・バッファを含むことが好ましい。音声デコーダ１８２の動作は、ＣＰＵ１２２で制御される。従って、ＣＰＵ１２２は、音声デコーダの動作を制御できるので、音声デコーダは、フレームを選択的に削除し、或るフレームについて音声を消し、音声の無いフレームを挿入し、そして、ＣＰＵ１２２が指定する選択されたフレームだけを復号化する。これらの動作は、音声デコーダ１８２で実行される。しかしながら、理解されるように、本発明は、これに限定されず、音声フレームのこのような処理は、音声デコーダ１８２の前後に挿入される他の処理要素により処理することができる。最後に、このような処理は、適当なシステム通信バス（例えば、バス１８１）から供給される通信によりＣＰＵで直接実行することができる。一般に、これに関して必要なものは、音声フレーム・バッファと、以下に詳細に述べる有利な方法に従って再生／削除／消音されるフレームを選択的に除去／変更できる能力である。
【手続補正１０】
【補正対象書類名】明細書
【補正対象項目名】００１４
【補正方法】変更
【補正の内容】
【００１４】
図２に関して述べると、このプロセスはステップ２００で始まり、装置１００は再生モードで動作される。ステップ２００で、再生（プレイバック）モードの間、符号化されたディジタル・データは、ＤＶＤ記憶媒体１０２から読み出される。ステップ２０５で、制御装置ＣＰＵ１２２は、有利な特徴（バッファ）１３６からのユーザの入力をモニタすることができる。ステップ２１０で、ＣＰＵ１２２は、トリック・モード（例えば、高速前進再生）が選択されたかどうか確かめる。もしステップ２１０で、トリック・モードが選択されていなければ、ＣＰＵ１２２は、ステップ２００の処理に戻り、装置１００は、ＤＶＤ記憶媒体１０２から、符号化ディジタル・データを読み続ける。トリック・モードが選択されると、ＣＰＵ１２２は、トリック・モードでの音声再生のためにステップ２１２〜２２４に進む。
【手続補正１１】
【補正対象書類名】明細書
【補正対象項目名】００２８
【補正方法】変更
【補正の内容】
【００２８】
当業者は、本発明の精神から逸脱することなく他のシーケンスも可能であることを理解できよう。重要なことに、時間の基準として３０フレーム毎秒（ｆｐｓ）の使用は、本発明をいかに実施すべきかを当業者に伝えることを意図するものであって、本発明の範囲を制限するものではない。更に、他のＴＶフレーム周波数も存在し、例えば、種々のＡＴＳＣ標準では、公称フレーム周波数６０ｆｐｓが使用され、フレーム周波数２５ｆｐｓが使用されている国もあり、本発明の構成が等しく利用することができる。
【手続補正１２】
【補正対象書類名】明細書
【補正対象項目名】００３３
【補正方法】変更
【補正の内容】
【００３３】
【図１】本発明の構成に従い１つ以上の有利な機能を備えることのできるＤＶＤ装置のブロック図である。
【図２】図１の装置１００のようなメディア・プレーヤにおいて実施される、本発明の構成を理解するのに役立つフローチャートである。
【図３】本発明の構成に従う、フレームの挿入および削除を理解するのに役立つ例示的ブロック図である。
【手続補正１３】
【補正対象書類名】図面
【補正対象項目名】図１
【補正方法】変更
【補正の内容】
【図１】
2005519537.tif 000001
【手続補正１４】
【補正対象書類名】図面
【補正対象項目名】図２
【補正方法】変更
【補正の内容】
【図２】
2005519537.tif 000002